(57)【要約】      （修正有）【課題】線香を焚くことによって起こるアレルギー体質者への弊害を取り除きつつ、線香を焚いているように見立てられるようにする。【解決手段】赤色発光ダイオードを組み込んだ線香型の香明台。【選択図】図１
2005253918.tif 000002
【特許請求の範囲】
【請求項１】
一目見ただけで線香を焚いているときと同じように見立てた仕組みとする（線香と見立てる部品のサイズは直径３．５ｍｍ×長さ１４０ｍｍ）。
【請求項２】
線香を焚いた後、線香が燃え終わり灰となったように見立てるために灰色とする。
【請求項３】
線香が今正に燃えているように見立てるため赤色発光とする。
【請求項４】
線香が燃える前の原形に見立てるために濃い緑色とする。
【請求項５】
線香が今正に燃えているように見立てる部分は、赤色発光ダイオードを使用し、明るさを調整するため抵抗を接続する。
【請求項６】
電源はアルカリ電池９Ｖ形を原則とする。
【請求項７】
横型の場合、線香に見立てる部分は一本を原則とする。
【請求項８】
線香に見立てた部分を置く線香置きベース板は灰色を基本とし、取り外し可能で、線香が燃えた後の灰が散乱しているように見せかける。
【発明の詳細な説明】
【発明の詳細な説明】
【発明に属する技術分野】
【０００１】  本製品、簡易香明台は家庭用仏事製品と云える。
【背景技術】
【０００２】  従来の香炉は、実際に線香を焚く目的としたものですが、この簡易香明台は、線香を焚いているように見立てたところが特徴で、他に類をみない製品なので、今回が初考案である。
【発明を解決しようとする課題】
【０００３】  簡易香明台を製作する構想が決まってから、まず、製作に必要な部品の収集から始めました。なにしろ、線香の原形は直径３．５ｍｍ位の細い丸棒状なので、しかも内部にリード線を貫通さなければならないので、それに見立てる部品の収集は大変困難でした。まず、はじめに考えたのは、厚さ３ｍｍの透明アクリル板に幅３．５ｍｍ×長さ１４０．０ｍｍ×深さ２．０ｍｍの溝を切り、その溝に線香を焚いているように見立てるべく着色をして、アクリル板の下側から照明をあてて着色された部分を投影する方法で試作してみたが、構想を充分満たすまでには至らなかった、この時点で、発想の転換を余儀なくされた。途方にくれていた折り、様々なイルミネーションに使う極小豆電球にめぐり遇うことができ、そのことによって、製品完成への道筋が見えてきた。
【課題を解決するための手段】
【０００４】  新発想による試作品として、厚さ３．０ｍｍの灰色塩化ビニール板（取り外し可能に設計）をベースとし、中央に２．０ｍｍ×１４０．０ｍｍ×１．０ｍｍの溝を切り込み、左端から直径３．５ｍｍ×長さ２．０ｍｍのアクリル丸棒（線香が燃え終わり灰になったように見立てる部分）、さらに延長線上に並べて直径３．５ｍｍ×長さ３．０ｍｍの同質丸棒（灰になったように見立てる部分なので両方共に灰色）を接着剤で固定、次にリード線付極小赤色豆電球を電線保護被覆コード（線香が燃える前の原形を表す部分）に少し押し込み接着剤で固定する、リード線は保護被覆コード内を通しさらにベース板の下に貫通させ、極小豆電球が切れて使用不能の時容易に交換できるよう端子台接続とする。マイナス側はスイッチへ接続、プラス側は抵抗に接続する。この状態で極小赤色豆電球に通電しテストしたところ、線香を焚いているように見立てた当初の構想は満足された。しかし、極小赤色豆電球が切れたときの交換方法、さらには保護被覆コードの固定方法などに問題がのこり、技術的進歩が要求された。折しもテレビで発光ダイオードの話題が流れ、半永久的であること、直径３．０ｍｍの極小の製品もあることを知り、早速試みた結果、豆電球に比べるとコスト面で若干値段が高くなるが、取扱者側からみたとき、便利であると判断し赤色発光ダイオードに決定し簡易香明台を完成することが出来た。
【発明を実施するための最良の形態】
【０００５】  簡易香明台は、実際に線香を使わないで、線香を焚いているように見立てた仕組みが大きな特徴とも云える。図２，正面図の３：見立て線香置きベース板（厚さ３．０ｍｍ灰色の塩化ビニール板で取り外し可能に設計）上中央に図１，平面図の１ａ．線香が燃え終わり灰になった部分を示す部品（直径３．５ｍｍ灰色のアクリル棒）を置き、次に１ｂ．線香が今正に燃えているところを示す部品（リード線付極小赤色発光ダイオード）と１ｃ．線香が燃える前の原形部分を示す部品（直径３．５ｍｍの電線保護被覆コード）をセットにし延長線上に順次並べて固定する。全体の回路図は、図３の通りでＳ：スイッチは図２，４：の位置で、図１，２：本体の外側からＯＮ・ＯＦＦの操作ができるように取り付ける。回路は、図３，のように単純なものであり、Ｗは赤色発光ダイオード（図１，の１ｂ．線香が燃えている部分）を示す。Ｒは抵抗で赤色発光ダイオードの明るさを調整する。Ｂは電源でアルカリ乾電池９Ｖ形を使用する。抵抗の接続部は絶縁を施し、電池はホルダーに収納したうえ、共に内部に格納しておく。仏事を始める直前にスイッチＳをＯＮに入れることで、赤色発光ダイオードに通電され赤色点灯され線香を焚いているように見立てられる。しかも、常に一定の香明を保つことができ、さらに、燃え尽きて新しいものを焚くこともなく、安心して仏事を進行することが出来る。仏事終了後はスイッチＳをＯＦＦにし電池の浪費を防止する。
【発明の効果】
【０００６】  そもそもこの簡易香明台製作発想の原点は、線香を燃やしたときに出る臭いと煙に対するアレルギー対策として始めたものである。したがって、この製品を製作し販売の目的を重視したものではなかった。しかし、製品が完成し、この製品に巡り会った一人の線香の臭いと煙のアレルギーに悩む知人から、この製品は、素晴らしい製品であることを評価された。全国にこうしたアレルギーに悩む人が何人いるかは想像もつかないが、こうした人達から評価され、悩みを解決することが出来たなら、発明者として成功したと考える。
【図１】
2005253918.tif 000003
【図３】
2005253918.tif 000004
【手続補正書】
【提出日】平成16年5月18日(2004.5.18)
【手続補正２】
【補正対象書類名】明細書
【補正対象項目名】全文
【補正方法】変更
【補正の内容】
【発明の詳細な説明】
【技術分野】
【０００１】  本発明製品簡易香明台は、家庭用仏事製品と云える。
【背景技術】
【０００２】  従来の香炉は、実際に線香を焚く目的としたものですが、この簡易香明台は、線香を焚いているように見立てたところが特徴で、他に類をみない製品なので、今回が初考案である。
【発明を解決しようとする課題】
【０００３】  はじめに、厚さ３ｍｍの透明アクリル板に幅３．５ｍｍ×長さ１４０．０ｍｍ×深さ２．０ｍｍの溝を切り、その溝に線香を焚いているように見立てるべく着色をして、アクリル板の下から照明で投影する方法で試作する。次に麦球を使用しての試作品は、麦球が短絡したときの交換方法、さらには明るさ調整用の抵抗を接続することで電池の消耗がはげしく、両方とも構想を充分満たすものではなかった。次いで考えたのが半永久的に使用出来るとされる、赤色発光ダイオードであった、これによって製品完成への道筋が見えてきた。
【課題を解決するための手段】
【０００４】  赤色発光ダイオードを使っての試作品は、厚さ３．０ｍｍ×長さ１８８．０ｍｍ×幅６３．０ｍｍ（寸法は概数）の塩化ビニール板（灰色）をベース板とし、中央縦長に幅２．０ｍｍ×長さ１４０．０ｍｍ×深さ１．０ｍｍの溝を切り込み、左端から直径３．５ｍｍ×長さ２．０ｍｍのプラスチック丸棒（灰色）、さらに延長線上に並べて同質の丸棒、直径３．５ｍｍ×３．０ｍｍ（灰色）を固定、次にエンパイヤチューブ（緑色系の保護被覆チューブ直径３．５ｍｍ×長さ９０．０ｍｍ）にリード線付赤色発光ダイオードをセットした部品を固定する、リード線は塩化ビニール板を貫通させ端子台で接続となる。電源側からの結線のうちマイナス側はスイッチを介して端子台で接続、プラス側は電流調整の抵抗を介して端子台で接続となる。以上のような製作過程を得て、簡易香明台は完成をみるにいたった。
【発明を実施するための最良の形態】
【０００５】  本発明の簡易香明台は、〔図１〕平面図の符号１見立て線香置きベース板の中央に符号２見立て線香（２ａは線香が燃え終わりの灰を表す・２ｂは線香が今正に燃えているところを示す・２ｃは線香が燃える前の原形部分を示す）を固定する。符号３はスイッチの取り付け位置で、外部からＯＮ・ＯＦＦの操作が出来るように取り付ける。〔図２〕正面図の符号４は、電源の電池ホルダー。符号５は、結線接続端子台。符号６は、ベース板を一定の高さに保持する支柱。符号７は、全体を受ける底板。符号８は、リード線引き込み口である。〔図３〕の回路図は単純なものであり、符号Ｗは、赤色発光ダイオード（図１の２ｂ線香が今正に燃えているところを示す部分）を示す。符号Ｒは、抵抗で赤色発光ダイオードに流れる電流を制御、抵抗はスミチューブで絶縁を施す。符号Ｂは、電源でアルカリ電池。符号Ｓは、スイッチを示す。この状態で赤色発光ダイオードにテスト通電の結果、線香を焚いているように見立てる当初の構想は満たされた。現在完成品を自分で実験使用したが、線香が燃えているように見立てる部分の明るさも完全であり、常に一定の明るさを保つことができる、さらに電池の消耗についても充分満足し、安心して仏事を進行することが出来る。仏事終了後は、スイッチをＯＦＦにして電池の浪費を防止する。
【発明の効果】
【０００６】  そもそもこの簡易香明台の製作構想の原点は、線香を燃やしたときに出る臭いと煙に対するアレルギー対策として始めたものである。したがって、この製品を製作し販売の目的を重視したものではなかった。しかし、製品の完成後、同じくアレルギーに悩む知人がこの製品に巡り会い、素晴らしい製品と評価される。全国にこうしたアレルギーに悩む人が何人いるかは想像もつかないが、こうした人達から評価され、悩みを解決することができたなら、発明者として成功したと考える。
【図面の簡単な説明】
【０００７】
【図１】本発明の平面図である
【図２】本発明の正面図である
【図３】本発明の回路図である
【符号の説明】
【０００８】    １．見立て線香置きベース板    ２．見立て線香      ２ａ：線香が燃え終わりの灰を示す      ２ｂ：線香が今正に燃えているところを示す      ２ｃ：線香が燃える前の原形部分を示す    ３．スイッチの取り付け位置    ４．電池ホルダー    ５．結線接続端子台    ６．ベース板高さ保持支柱    ７．全体を受ける底板    ８．リード線引き込み口
【手続補正３】
【補正対象書類名】図面
【補正対象項目名】全図
【補正方法】変更
【補正の内容】
【書類名】図面    【図１】2005253918.tif 000005
【図２】2005253918.tif 000006
【図３】2005253918.tif 000007